(57)【要約】【課題】  磁力によって本体メガネの正面に開放されながら開き固定され得るメガネにおいて，本体メガネに補助メガネが着用される際に，その結合力を高めるために本体メガネのリムの一側部に磁石を構成し，対応する補助メガネのリムにも磁石を構成して互いに結合するようにし，その結束力を高める本体メガネと補助メガネとの閉じ結合部材を提供する。【解決手段】  補助メガネが磁力によって本体メガネの正面に開き固定され得るメガネにおいて，本体メガネ上に補助メガネが覆われた閉じ構成の際に，別途の磁石が本体メガネのリムＡの一側に構成される本体メガネ側閉じ磁石３１と，対応する補助メガネのリムＢ内側に構成された固定バー３０（補助メガネ側閉じ磁石３１）が結合部材Ｔを構成する。補助メガネが本体メガネの正面に重なったとき，本体メガネ側閉じ磁石と固定バーが磁着する。【選択図】  図４
2005352435.tif 000002
【特許請求の範囲】
【請求項１】
本体メガネと，当該本体メガネに取り付けられて使用される補助メガネとの結合部材であって，
前記本体メガネのリムに構成された本体メガネ側磁石と，
前記本体メガネの正面に前記補助メガネが重ねられたときに前記本体メガネ側磁石に対向するように，前記補助メガネに備えられた固定バーと，
から構成されたことを特徴とする，本体メガネと補助メガネとの結合部材。
【請求項２】
前記本体メガネ側磁石は，前記本体メガネのリムに埋設構成されたことを特徴とする，請求項１に記載の本体メガネと補助メガネとの結合部材。
【請求項３】
前記固定バーは，補助メガネ側磁石を有することを特徴とする，請求項１または２に記載の本体メガネと補助メガネとの結合部材。
【請求項４】
前記固定バーは，前記本体メガネのリムに構成された前記本体メガネ側磁石と磁着するように，前記補助メガネのリムの側面から内側に向けて突出構成されたことを特徴とする，請求項１〜３のいずれかに記載の本体メガネと補助メガネとの結合部材。
【請求項５】
前記固定バーは，前記本体メガネのリムに構成された前記本体メガネ側磁石と磁着するように，前記補助メガネのリムの後面から内側に向けて突出構成されたことを特徴とする，請求項１〜３のいずれかに記載の本体メガネと補助メガネとの結合部材。
【発明の詳細な説明】
【技術分野】
【０００１】
本発明は，本体メガネと当該本体メガネに取り付けられて使用される補助メガネとの結合部材に関する。
【背景技術】
【０００２】
従来，本体メガネの正面に重ねて使用される補助メガネが提案されている。例えば，本体メガネは視力矯正用のメガネであり，補助メガネは光から眼を保護するためのサングラスである。通常，補助メガネは，本体メガネのトップバー（topbar；リム連結バー）またはリムに取り付けられる。補助メガネが不要なときには補助メガネが本体メガネの利用者の視界を遮らないように，補助メガネは回動可能なように本体メガネに取り付けられることが好ましい。
【０００３】
下記特許文献１には，磁石を利用した脱着および正面開閉が容易な補助メガネを有するメガネが記載されている。このメガネにおいて，磁石が挿入されたリム連結バーが本体と補助メガネリム連結バーとでそれぞれ構成される。補助メガネリム連結バーは，その先端が垂直に連結・折曲されており，閉じ磁石および開き磁石が挿入されている。この構成によって，磁力で補助メガネの開閉が調節されると共に，補助メガネが不要である場合は，これを除去することも可能となる。
【０００４】
下記特許文献２には，磁石のヒンジ機能を利用した補助メガネを有するメガネが記載されている。このメガネにおいて，本体メガネフレームの一側に磁性体が構成され，これに対応する補助メガネフレームの一側に補助メガネフレームの開閉を可能にする磁性体が直接連結・構成されている。この構成によれば，補助メガネフレームを本体メガネから分離することなく，補助メガネを本体メガネの正面から開放させて本体メガネを使用することが可能となる。
【０００５】
下記特許文献３には，上側固定可能な補助メガネを有するメガネが記載されている。このメガネによれば，様々な方法で本体メガネに取り付けられて使用される補助メガネを本体メガネの上側部に載置させて磁力で固定することが可能となる。この仕組みにより，補助メガネを本体メガネから取り外して別途保管するといった不便さが解消される。
【０００６】
下記特許文献４には，連結バーによって補助メガネと結合されるメガネが記載されている。ここで，連結バーは，本体メガネと補助メガネとの間の結合媒介体として機能する。また，連結バーは，本体メガネから脱着可能であり，補助メガネからも脱着および移動が可能である。このような連結バーを採用することによって，様々な本体メガネのスタイルが演出されるとともに，この連結バーによって補助メガネを本体メガネに取り付けることが可能となる。
【０００７】
この他にも，本体メガネの上側部に補助メガネを取り付ける仕組みが提案されている。
【０００８】
【特許文献１】韓国特許公開２００２−００２３６８３号公報
【特許文献２】韓国特許公開２００２−００８７９１５号公報
【特許文献３】韓国特許公開２００３−００２３６７４号公報
【特許文献４】韓国特許公開２００３−００６３３２８号公報
【発明の開示】
【発明が解決しようとする課題】
【０００９】
しかしながら，補助メガネが本体メガネに開閉固定される従来の技術によれば，磁石が１個所に集中して備えられているために，万一，弱い磁力の磁石が取り付けられた場合，補助メガネを本体メガネの正面に重ねて利用しようとしても，補助メガネが本体メガネに確実に固定されなくなる。補助メガネが本体メガネに確実に固定されなければ，メガネの利用者に対して良好な視界が提供できなくなり，最悪の場合，補助メガネが脱落してしまう可能性もある。
【００１０】
本発明は，このような問題に鑑みてなされたもので，その目的は，本体メガネと補助メガネとの間の結束力を高める本体メガネと補助メガネとの閉じ結合部材を提供することにある。
【課題を解決するための手段】
【００１１】
上記課題を解決するために，本発明の第１の観点によれば，本体メガネと，当該本体メガネに取り付けられて使用される補助メガネとの閉じ結合部材が提供される。そして，この閉じ結合部材は，本体メガネのリムに構成された本体メガネ側磁石と，本体メガネの正面に補助メガネが重ねられたときに本体メガネ側磁石に対向するように，補助メガネに備えられた固定バーと，から構成されたことを特徴としている。
【００１２】
本体メガネ側磁石は，本体メガネのリムに埋設構成されることが好ましい。また，固定バーは，補助メガネ側磁石を有することが好ましい。
【００１３】
固定バーは，本体メガネのリムに構成された本体メガネ側磁石と磁着するように，補助メガネのリムの側面から内側に向けて突出構成される，または，補助メガネのリムの後面から内側に向けて突出構成されることが好ましい。
【００１４】
また，上記課題を解決するために，本発明の第２の観点によれば，補助メガネが磁力によって本体メガネの正面に開き固定され得るメガネが提供される。そして，このメガネは，本体メガネ上に補助メガネが覆われた閉じ構成の際に，別途の磁石が本体メガネのリムの一側に構成される本体メガネ側閉じ磁石（１０）と，対応する補助メガネの内側に構成された固定バー（３０）が，相互正面に閉じられる際に磁力によって相互結合されるようになった閉じ結合部材（Ｔ）とで構成されることを特徴としている。
【００１５】
また，上記課題を解決するために，本発明の第３の観点によれば，本体メガネと，当該本体メガネに取り付けられて使用される補助メガネとから成るメガネシステムが提供される。そして，このシステムにおいて，本体メガネのリムには，本体メガネ側磁石が備えられ，補助メガネには，本体メガネの正面に補助メガネが重ねられたときに本体メガネ側磁石に対向する固定バーが備えられる。
【発明の効果】
【００１６】
本発明によれば，本体メガネと補助メガネの閉じ結合の際にその結束力を一層強固にさせ得る。また，本発明によれば，閉じ構成および開き構成において，磁石ヒンジの構造にして開き構成および閉じ構成を一遍に実現できる。また，各磁石が一部分に密集することで発生し得る不良率を低減させることができる。さらに，本発明によれば，本体メガネのリムと対応する補助メガネのリムとに磁石が構成される。そして，各磁石を相互磁着させることで，本体メガネと補助メガネがより強固に結束される。
【発明を実施するための最良の形態】
【００１７】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１８】
図１および図２は，本実施の形態に係る上側固定可能なメガネの斜視図であり，図３および図４は，本実施の形態に係るリムを用いた上側固定可能なメガネの例を示す斜視図および作動図であり，図５は，その他の実施形態を示す斜視図であり，図６および図７は，本実施の形態に係るリム連結バーを用いた上側固定可能なメガネの例を示す斜視図および作動図であり，図８は，本実施の形態に係る閉じ結合部材が構成され得る部分を示す予測断面図（概略図）である。
【００１９】
以下，本体メガネと補助メガネとの閉じ結合部材（結合部）の構成およびその作用を詳しく説明する。
【００２０】
磁石のヒンジ機能および磁力を利用することによって，本体メガネに対して補助メガネを開閉自在に取り付けることが可能となる。そして，本体メガネとこれに取り付けられた補助メガネはメガネシステムを構成する。このメガネシステムにおいて，本体メガネと補助メガネは分離も可能である。
【００２１】
本体メガネに補助メガネを開閉可能なように取り付けるためには，例えば図１および図２に示すように本体メガネと補助メガネを構成することが好ましい。
【００２２】
まず，本体メガネと補助メガネのリムの最上側を連結するトップバーに磁石を構成する形態が挙げられる。これによれば，本体メガネに補助メガネを開閉可能なように取り付けることが可能となる。また，本体メガネと対応する補助メガネのリムの上側部に磁石を構成するようにしてもよい。また，本体メガネと補助メガネとの間に，磁石が構成された部材を介在させるようにしてもよい。また，本体メガネと補助メガネの各リムに磁性体を構成し，補助メガネを本体メガネに載せて取り付けるようにしてもよい。
【００２３】
本実施の形態では，補助メガネが閉じられた状態（本体メガネの正面に重ねられた状態）のときの相互の結束力（固定力）を高めるために，補助メガネの回動用の磁石とは別個に，固定用の磁石が本体メガネのリムに構成され，対応する補助メガネにも磁石が構成されている。
【００２４】
上記のように本実施の形態においては，本体メガネと補助メガネとの間に様々な上側固定機構が適用される。そして，各磁石の構成および作用に基づいて補助メガネが本体メガネの利用者の視界を遮らないように，本体メガネの前面において補助メガネを開くができる。一方，図３〜図７に示すように，本体メガネのリムの一側には別個の磁石が構成され，対向する補助メガネのリムにも別個の磁石が構成されているため，本体メガネの正面が補助メガネで覆われる（重ねられる）場合，本体メガネと補助メガネを相互確実に結合させることが可能となる。
【００２５】
次に，補助メガネと本体メガネとが閉じられる際の動作を更に詳しく説明する。本体メガネのリムＡの側面の一側部に本体メガネ側閉じ磁石１０が構成される。また，この本体メガネ取り付けられる補助メガネのリムＢの側面部には，固定バー３０がメガネの内側に向けて突出構成される。そして，この固定バー３０には補助メガネ側閉じ磁石３１が構成される。これら本体メガネ側閉じ磁石１０と固定バー３０（補助メガネ側閉じ磁石３１）は，相互直接的に対応して磁着する。すなわち，本体メガネ側閉じ磁石１０と固定バー３０（補助メガネ側閉じ磁石３１）は，本体メガネと補助メガネを確実に結合する結合部材Ｔを構成する。図３〜図５には，結合部材Ｔが本体メガネのリムＡと補助メガネのリムＢの各両側面に構成された例が示されており，図６および図７には，結合部材Ｔが本体メガネのリムＡと補助メガネのリムＢの各下側面に構成された例を示している。この他，図８に示すように，補助メガネの回動に支障をきたす部位を除いて，結合部材Ｔ（本体メガネ側閉じ磁石１０と補助メガネ側閉じ磁石３１）をリムのどの部分に（また，複数箇所に）構成しても良い。
【００２６】
リム連結バーとリムとに磁石のヒンジ機能を利用して補助メガネの開き状態と閉じ状態を取り得る一般的なメガネにおいて，閉じ状態時に作用する磁石が事実上省略されても，本発明の実施の形態に係る閉じ結束部（結合部材Ｔ）によって本体メガネと補助メガネの閉じ状態が維持され得る。
【００２７】
また，本発明の実施の形態においては，本体メガネのリムの側面部と補助メガネのリムの側面部や底面部とに結合部材Ｔ（固定バー）が構成されているが，本体メガネの正面部とこれに対応する補助メガネの後面部とに結合部材Ｔを構成するようにしてもよい。この場合，本体メガネの磁石構成部位に応じて補助メガネに磁石を構成して本体メガネと補助メガネを相互結合させることが好ましい。
【００２８】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２９】
本発明は，本体メガネと，当該本体メガネの正面に重ねられて使用される補助メガネとの結合部材に適用可能である。
【図面の簡単な説明】
【００３０】
【図１】従来の上側固定可能なメガネの斜視図（その１）である。
【図２】従来の上側固定可能なメガネの斜視図（その２）である。
【図３】本発明の実施の形態に係るリムを利用した上側固定可能なメガネの斜視図である。
【図４】本発明の実施の形態に係るリムを利用した上側固定可能なメガネの動作説明図である。
【図５】その他の実施の形態を示す斜視図である。
【図６】本発明の実施の形態に係るリム連結バーを利用した上側固定可能なメガネの斜視図である。
【図７】本発明の実施の形態に係るリム連結バーを利用した上側固定可能なメガネの動作説明図である。
【図８】本発明の実施の形態に係る結合部材の構成位置の説明図である。
【符号の説明】
【００３１】
Ａ    本体メガネのリム
Ｔ    閉じ結合部材
Ｂ    補助メガネのリム
１０    本体メガネ側閉じ磁石
３０    固定バー
３１    補助メガネ側閉じ磁石
【図１】
2005352435.tif 000003
【図２】
2005352435.tif 000004
【図３】
2005352435.tif 000005
【図４】
2005352435.tif 000006
【図５】
2005352435.tif 000007
【図６】
2005352435.tif 000008
【図７】
2005352435.tif 000009
【図８】
2005352435.tif 000010